(57)【要約】  本発明は、駆動制御回路の規模を縮小し、ノイズによる誤動作を防止するプラズマディスプレイ装置を提供する。  本発明は、Ｘ電極駆動回路(３)内部にＸ駆動制御回路(９)と、Ｙ電極駆動回路(４)内部にＹ駆動制御回路(１０)と、アドレス電極駆動回路(５)内部にアドレス駆動制御回路(１１)とを設け、上記Ｘ駆動制御回路(９)、Ｙ駆動制御回路(１０)、アドレス駆動制御回路(１１)へトリガ信号とＤＡＴＡ信号を供給する制御装置（ＭＰＵ）(８)とを設けて、上記制御装置(８)が出力するトリガ信号とＤＡＴＡ信号をデータ処理することによって、Ｘ電極へ供給するＸ電極駆動パルス、Ｙ電極駆動パルス、アドレス電極駆動パルスを形成する。【特許請求の範囲】
【請求項１】
プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路を備えたプラズマディスプレイ装置において、  Ｘ電極駆動回路内部にＸ電極駆動回路へ供給する制御信号を発生するＸ駆動制御回路と、Ｙ電極駆動制御回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  上記Ｘ駆動制御回路、Ｙ駆動制御回路、アドレス駆動制御回路へトリガ信号とＤＡＴＡ信号を供給するＭＰＵとを設け、  上記Ｘ駆動制御回路、上記Ｙ駆動制御回路、上記アドレス駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、アドレス電極駆動パルスを形成することを特徴とするプラズマディスプレイ装置。
【請求項２】
請求項１において、上記ＭＰＵが出力するトリガ信号とＤＡＴＡ信号は、上記Ｘ駆動制御回路、上記Ｙ駆動制御回路、上記アドレス駆動制御回路へ共通に供給するバス信号であることを特徴とするプラズマディスプレイ装置。
【請求項３】
プラズマディスプレイパネルと、プラズマディスプレイパネルのＸ電極を駆動するＸ電極駆動回路と、プラズマディスプレイパネルのＹ電極を駆動するY電極駆動回路と、プラズマディスプレイパネルのアドレス電極を駆動するアドレス電極駆動回路と、Ｙ電極へスキャンパルスを供給するスキャン回路を備えたプラズマディスプレイ装置において、  Ｙ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  スキャン回路内部にスキャン回路へ供給する制御信号を発生するスキャン駆動制御回路と、  上記Ｘ駆動制御回路、Ｙ駆動制御回路、アドレス駆動制御回路、スキャン駆動制御回路へトリガ信号とＤＡＴＡ信号を供給するＭＰＵとを設け、  上記Ｘ駆動制御回路、上記Ｙ駆動制御回路、上記アドレス駆動制御回路、上記スキャン駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、アドレス電極駆動パルス、スキャンパルスを形成することを特徴とするプラズマディスプレイ装置。
【請求項４】
請求項３において、上記ＭＰＵが出力するトリガ信号とＤＡＴＡ信号は、上記Ｘ駆動制御回路、上記Ｙ駆動制御回路、上記アドレス駆動制御回路、上記スキャン駆動制御回路へ共通に供給するバス信号であることを特徴とするプラズマディスプレイ装置。
【請求項５】
プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路と、入力された映像信号を処理する信号処理回路を備えたプラズマディスプレイ装置において、  Ｘ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  上記Ｘ駆動制御回路、Ｙ駆動制御回路、アドレス駆動制御回路へトリガ信号とＤＡＴＡ信号を供給するＭＰＵとを設け、  かつ、アドレス駆動制御回路へは上記信号処理回路の出力信号を供給し、  上記Ｘ駆動制御回路、上記Ｙ駆動制御回路は、上記ＭＰＵが出力するトリガ信号とＤＡＴＡ信号をデータ処理することによって、各々Ｘ電極へ供給するＸ電極駆動パルス、Ｙ電極駆動パルスを形成し、  上記アドレス駆動制御回路は、上記ＭＰＵが出力するトリガ信号、ＤＡＴＡ信号、及び、信号処理回路の出力信号をデータ処理してアドレス電極駆動パルスを形成することを特徴とするプラズマディスプレイ装置。
【請求項６】
請求項５において、上記ＭＰＵが出力するトリガ信号とＤＡＴＡ信号は、上記Ｘ駆動制御回路、上記Ｙ駆動制御回路、上記アドレス駆動制御回路へ共通に供給するバス信号であることを特徴とするプラズマディスプレイ装置。
【請求項７】
プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路と、Ｙ電極へスキャンパルスを供給するスキャン回路と、入力された映像信号を処理する信号処理回路を備えたプラズマディスプレイ装置において、  Ｘ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  スキャン回路内部にスキャン回路へ供給する制御信号を発生させるスキャン駆動制御回路と、  上記Ｘ駆動制御回路、Ｙ駆動制御回路、アドレス駆動制御回路、スキャン駆動制御回路へトリガ信号とＤＡＴＡ信号を供給するＭＰＵとを設け、  かつ、アドレス駆動制御回路へは上記信号処理回路の出力信号を供給し、  上記Ｘ駆動制御回路、上記Ｙ駆動制御回路、上記スキャン駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、スキャンパルスを形成し、  上記アドレス駆動制御回路は、上記ＭＰＵが出力するトリガ信号、ＤＡＴＡ信号、及び信号処理回路の出力信号をデータ処理してアドレス電極駆動パルスを形成することを特徴とするプラズマディスプレイ装置。
【請求項８】
請求項７において、上記ＭＰＵが出力するトリガ信号とＤＡＴＡ信号は、上記Ｘ駆動制御回路、上記Ｙ駆動制御回路、上記アドレス駆動制御回路、上記スキャン駆動制御回路へ共通に供給するバス信号であることを特徴とするプラズマディスプレイ装置。
【請求項９】
プラズマディスプレイパネルと、プラズマディスプレイパネルのＸ電極を駆動するＹ電極駆動回路を備えたプラズマディスプレイ装置において、  Ｘ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  上記Ｘ駆動制御回路、Ｙ駆動制御回路へパルス形成に必要な情報を供給するＭＰＵを設け、  上記Ｘ駆動制御回路、上記Ｙ駆動制御回路は、上記ＭＰＵの出力情報をデータ処理することによって、各々Ｘ電極へ供給するＸ電極駆動パルス、Ｙ電極駆動パルスを形成することを特徴とするプラズマディスプレイ装置。
【請求項１０】
請求項９において、上記ＭＰＵが出力するパルス形成に必要な情報は、上記Ｘ駆動制御回路、上記Ｙ駆動制御回路へ共通に供給するバス信号であることを特徴とするプラズマディスプレイ装置。
【発明の詳細な説明】
【技術分野】
【０００１】  本発明は、プラズマディスプレイ装置に関する。さらに具体的には、本発明の好適実施形態は、駆動制御回路の規模を縮小し、ノイズによる誤動作を防止するプラズマディスプレイ装置を提供する。
【背景技術】
【０００２】  従来のプラズマディスプレイ装置では、図１に示したように入力された映像信号を信号処理回路１で処理し、駆動制御回路２へ供給していた。この駆動制御回路２では、上記信号処理回路の出力信号に基づいて、Ｘ電極駆動回路３、Ｙ電極駆動回路４、アドレス電極駆動回路５、スキャン回路６へ供給する制御信号を形成していた。  図６には、プラズマディスプレイ装置の動作波形を示す図が記載されている。リセット期間にＹ電極にリセット波形が供給され、アドレス期間にＹ電極とアドレス電極にアドレス波形が供給され、サステイン期間にＸ電極とＹ電極との間に交互にサステイン波形が供給される。【０００３】  特許文献１には、プラズマディスプレイ装置の駆動回路へ供給する制御信号を発生する従来技術が示されている。  また、特許文献２には、プラズマディスプレイ装置の制御信号を簡略化する従来技術が示されている。【０００４】
【特許文献１】特表２００２−５１９７３９号公報
【特許文献２】特開２００４−２５２０１７号公報
【発明の開示】
【発明が解決しようとする課題】
【０００５】  従来の駆動制御回路２では、Ｘ電極駆動回路３、Ｙ電極駆動回路４、アドレス電極駆動回路５、スキャン回路６へ供給する様々な制御信号を発生させ、これら回路へ供給していた。この結果、駆動制御回路２としては大規模なＬＳＩが必要となり、多くの開発期間が必要であった。また、上記様々な制御信号を伝送するために多数の信号ケーブルや基板間を接続するコネクタが必要であった。さらに、制御信号にノイズが重畳された場合、この制御信号によって駆動されるスイッチ素子（例えば、サステイン回路の出力素子等）が誤動作を起こし、故障する可能性が高かった。  上記従来技術では、上記ノイズによる誤動作防止方法まで含めた課題の解決方法について考慮されてなかった。【０００６】  本発明の目的は、駆動制御回路２の規模を縮小すると同時に、ケーブルやコネクタのピン数を減らし、さらには、ノイズによる誤動作を防止するプラズマディスプレイ装置を提供することにある。
【課題を解決するための手段】
【０００７】  本発明のプラズマディスプレイ装置では、上記目的を達成するため、  Ｘ電極駆動回路内部にＸ電極駆動回路へ供給する制御信号を発生するＸ駆動制御回路と、Ｙ電極駆動回路内部にＹ電極駆動回路へ供給する制御信号を発生するＹ駆動制御回路と、アドレス電極駆動回路内部にアドレス電極駆動回路へ供給する制御信号を発生するアドレス駆動制御回路と、上記Ｘ駆動制御回路、Ｙ駆動制御回路、アドレス駆動制御回路へトリガ信号とＤＡＴＡ信号を供給する制御装置とを設け、  上記制御装置が出力するトリガ信号とＤＡＴＡ信号をデータ処理することによって、Ｘ電極へ供給するＸ電極駆動パルス、Ｙ電極駆動パルス、アドレス電極駆動パルスを形成した。
【発明の効果】
【０００８】  本発明を用いることにより、駆動制御回路の規模を縮小すると同時に、信号ケーブルやコネクタのピン数を減らし、さらには、ノイズによる誤動作を防止するプラズマディスプレイ装置を提供できる。
【図面の簡単な説明】
【０００９】
【図１】図１は、プラズマディスプレイ装置の従来例を示す図である。
【図２】図２は、本発明のプラズマディスプレイの第１の実施例を示す図である。
【図３】図３は、本発明のプラズマディスプレイの第２の実施例を示す図である。
【図４】図４は、本発明のプラズマディスプレイ装置におけるサステイン回路の具体例１を示す図である。
【図５】図５は、本発明のプラズマディスプレイ装置におけるサステイン回路の具体例２を示す図である。
【図６】図６は、プラズマディスプレイの動作波形を示す図である。
【符号の説明】
【００１０】  １  信号処理回路  ２  駆動制御回路  ３  Ｘ電極駆動回路  ４  Ｙ電極駆動回路  ５  アドレス電極駆動回路  ６  スキャン回路  ７  プラズマディスプレイパネル  ８  制御装置（MPU）  ９  Ｘ駆動制御回路  １０  Ｙ駆動制御回路  １１  アドレス駆動制御回路  １２  スキャン駆動制御回路  １３  プリドライブ回路  １４  データ処理回路  １５   信号発生回路
【発明を実施するための最良の形態】
【００１１】  以下、本発明の実施例について、図面を用いて説明する。
【実施例１】
【００１２】  図２は、本発明の第１の実施例を示す図である。  図２に示した回路では、Ｘ電極駆動回路３内部にＸ電極駆動回路へ供給する制御信号を発生するＸ駆動制御回路９と、Ｙ電極駆動回路４内部にＹ電極駆動回路へ供給する制御信号を発生するＹ駆動制御回路１０と、アドレス電極駆動回路５内部にアドレス電極駆動回路へ供給する制御信号を発生するアドレス駆動制御回路１１と、【００１３】  スキャン回路６内部にスキャン回路へ供給する制御信号を発生させるスキャン駆動  制御回路１２と、上記Ｘ駆動制御回路９、Ｙ駆動制御回路１０、アドレス駆動制御回路１１、スキャン駆動制御回路１２へトリガ信号とＤＡＴＡ信号を供給する制御装置８（以下、「ＭＰＵ」と略称する。）を設け、  上記ＭＰＵ８が出力するトリガ信号とＤＡＴＡ信号をデータ処理することによって、Ｘ電極へ供給するＸ電極駆動パルス、Ｙ電極駆動パルス、アドレス電極駆動パルス、スキャンパルスを形成している。【００１４】  また、ＭＰＵ８が出力するトリガ信号とＤＡＴＡ信号は、Ｘ駆動制御回路９、Ｙ駆動制御回路１０、アドレス駆動制御回路１１、スキャン駆動制御回路１２へ共通に供給するバス信号にしている。他の実施例としては、各回路へ個別にトリガ信号とＤＡＴＡ信号を供給する方法も考えられる。上記ＭＰＵ８から出力されるトリガ信号は、リセット期間の開始時刻、アドレス期間の開始時刻、サステイン期間の開始時刻の情報を符号化して形成している。また、上記ＭＰＵ８から出力されるＤＡＴＡ信号は、Ｘ駆動制御回路９、Ｙ駆動制御回路１０、アドレス駆動制御回路１１、スキャン駆動制御回路１２から、Ｘ電極駆動回路３、Ｙ電極駆動回路４、アドレス電極駆動回路５、スキャン回路６へ供給する制御信号の位相、パルス幅、パルス数等の情報を符号化して形成している。【００１５】  Ｘ駆動制御回路９、Ｙ駆動制御回路１０、アドレス駆動制御回路１１、スキャン駆動制御回路１２では、上記ＭＰＵ８から出力されるトリガ信号とＤＡＴＡ信号に基づいて、Ｘ電極駆動回路３、Ｙ電極駆動回路４、アドレス電極駆動回路５、スキャン回路６へ供給する制御信号を形成している。  図２に示した本発明の第１の実施例を用いることにより、図１に示した従来例に比べ駆動制御回路２の回路規模を小さくすることができる。また、Ｘ電極駆動回路３、Ｙ電極駆動回路４、アドレス電極駆動回路５、スキャン回路６へは、ＭＰＵ８が出力するトリガ信号とＤＡＴＡ信号を供給すれば良いため、従来例（図１）で必要であった制御信号伝送のためのケーブルやコネクタのピン数を減らすことができる。さらに、上記Ｘ駆動制御回路９、Ｙ駆動制御回路１０、アドレス駆動制御回路１１、スキャン駆動制御回路１２内部に、ＭＰＵ８が出力するトリガ信号とＤＡＴＡ信号の誤り訂正機能を持たせることにより、従来に比べ誤動作による故障の可能性を減らすことができる。
【実施例２】
【００１６】  図３は、本発明の第２の実施例を示している。図３に示した実施例では、例えば表示すべき映像信号に基づく１０〜１２ビットパラレルのデータ数の多いアドレス電極駆動用の信号を、信号処理回路１から、直接、アドレス駆動制御回路１１へ供給している。アドレス駆動制御回路１１では、この信号処理回路１の出力信号と上記ＭＰＵ８から出力されるトリガ信号、ＤＡＴＡ信号からアドレス電極駆動回路５の制御信号を形成している。この第２の実施例を用いることにより、第１の実施例に比べ上記バス信号のライン数を減らすことができる。【００１７】  図４は、本発明のプラズマディスプレイ装置におけるサステイン回路の具体例１を示している。図４において、ＰＤ１はサステイン出力素子Ｑ１〜Ｑ４へ供給するドライブパルスを形成するプリドライブ回路１３である。図４に示した回路の特徴は、プリドライブ回路１３内部にデータ処理回路１４と信号発生回路１５を設けている点にある。図４におけるデータ処理回路１４では、図２、または図３におけるＭＰＵ８から出力されるトリガ信号（ＴＲ）、ＤＡＴＡ信号から、サステイン出力素子Ｑ１〜Ｑ４へ供給するドライブパルスを発生させる時刻（サステイン期間の開始時刻）、位相、パルス幅、パルス数等の情報を読取り、信号発生回路１５へ供給している。信号発生回路１５では、上記データ処理回路１４の出力信号に基づいて、後段の増幅回路へ入力する制御信号を形成している。増幅回路では、上記制御信号を増幅し、Ｑ１〜Ｑ４へ供給するドライブパルスを形成している。【００１８】  図５は、本発明のプラズマディスプレイ装置におけるサステイン回路の具体例２を示している。図５に示した回路では、信号発生回路１５としてカウンタを用いている。データ処理回路１４からは、カウント開始時刻、カウント終了時刻の情報を上記カウンタへ供給し、この情報に基づいて各制御信号を形成している。【００１９】  図４、図５に示した回路では、プリドライブ回路ＰＤ１内のデータ処理回路１４に誤り訂正機能を持たせることにより、ノイズ等によってトリガ信号、ＤＡＴＡ信号が乱れた場合でも、Ｑ１〜Ｑ４へ供給するドライブパルスを正常に形成することができる。よって、上記ノイズ混入による出力素子Ｑ１〜Ｑ４の誤動作による故障を防止することができる。  なお、上記ＭＰＵ８から供給するトリガ信号、ＤＡＴＡ信号の代わりに、同様な情報が重畳されている他の信号を用いても良い。また、トリガ信号とＤＡＴＡ信号を１つの信号に合成して用いても良い。さらには、トリガ信号、ＤＡＴＡ信号に加えてクロック信号や他の信号を一緒に供給しても良い。【００２０】  以下、本発明の構成例を付記に記載する。付記１〜１０は請求項１〜１０に対応する。
【付記１】
【００２１】  プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路を備えたプラズマディスプレイ装置において、  Ｘ電極駆動回路内部にＸ電極駆動回路へ供給する制御信号を発生するＸ駆動制御回路と、Ｙ電極駆動制御回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  上記Ｘ駆動制御回路、Ｙ駆動制御回路、アドレス駆動制御回路へトリガ信号とＤＡＴＡ信号を供給するＭＰＵとを設け、  上記Ｘ駆動制御回路、上記Ｙ駆動制御回路、上記アドレス駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、アドレス電極駆動パルスを形成することを特徴とするプラズマディスプレイ装置。
【付記２】
【００２２】  付記１において、上記ＭＰＵが出力するトリガ信号とＤＡＴＡ信号は、上記Ｘ駆動制御回路、上記Ｙ駆動制御回路、上記アドレス駆動制御回路へ共通に供給するバス信号であることを特徴とするプラズマディスプレイ装置。
【付記３】
【００２３】  プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路と、Ｙ電極へスキャンパルスを供給するスキャン回路を備えたプラズマディスプレイ装置において、  Ｙ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  スキャン回路内部にスキャン回路へ供給する制御信号を発生するスキャン駆動制御回路と、  上記Ｘ駆動制御回路、Ｙ駆動制御回路、アドレス駆動制御回路、スキャン駆動制御回路へトリガ信号とＤＡＴＡ信号を供給するＭＰＵとを設け、  上記Ｘ駆動制御回路、上記Ｙ駆動制御回路、上記アドレス駆動制御回路、上記スキャン駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、アドレス電極駆動パルス、スキャンパルスを形成することを特徴とするプラズマディスプレイ装置。
【付記４】
【００２４】  付記３において、ＭＰＵが出力するトリガ信号とＤＡＴＡ信号は、上記Ｘ駆動制御回路、上記Ｙ駆動制御回路、上記アドレス駆動制御回路、上記スキャン駆動制御回路へ共通に供給するバス信号であることを特徴とするプラズマディスプレイ装置。
【付記５】
【００２５】  プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路と、入力された映像信号を処理する信号処理回路を備えたプラズマディスプレイ装置において、  Ｘ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  上記Ｘ駆動制御回路、Ｙ駆動制御回路、アドレス駆動制御回路へトリガ信号とＤＡＴＡ信号を供給するＭＰＵとを設け、  かつ、アドレス駆動制御回路へは上記信号処理回路の出力信号を供給し、  上記Ｘ駆動制御回路、上記Ｙ駆動制御回路は、上記ＭＰＵが出力するトリガ信号とＤＡＴＡ信号をデータ処理することによって、各々Ｘ電極へ供給するＸ電極駆動パルス、Ｙ電極駆動パルスを形成し、  上記アドレス駆動制御回路は、上記ＭＰＵが出力するトリガ信号、ＤＡＴＡ信号、及び、信号処理回路の出力信号をデータ処理してアドレス電極駆動パルスを形成することを特徴とするプラズマディスプレイ装置。
【付記６】
【００２６】  付記５において、上記ＭＰＵが出力するトリガ信号とＤＡＴＡ信号は、上記Ｘ駆動制御回路、上記Ｙ駆動制御回路、上記アドレス駆動制御回路へ共通に供給するバス信号であることを特徴とするプラズマディスプレイ装置。
【付記７】
【００２７】  プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路と、Ｙ電極へスキャンパルスを供給するスキャン回路と、入力された映像信号を処理する信号処理回路を備えたプラズマディスプレイ装置において、  Ｘ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  アドレス電極駆動回路内部にアドレス電極駆動回路へ供給する制御信号を発生するアドレス駆動制御回路と、  スキャン回路内部にスキャン回路へ供給する制御信号を発生させるスキャン駆動制御回路と、  上記Ｘ駆動制御回路、Ｙ駆動制御回路、アドレス駆動制御回路、スキャン駆動制御回路へトリガ信号とＤＡＴＡ信号を供給するＭＰＵとを設け、  かつ、アドレス駆動制御回路へは上記信号処理回路の出力信号を供給し、  上記Ｘ駆動制御回路、上記Ｙ駆動制御回路、上記スキャン駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、スキャンパルスを形成し、  上記アドレス駆動制御回路は、上記ＭＰＵが出力するトリガ信号、ＤＡＴＡ信号、及び信号処理回路の出力信号をデータ処理してアドレス電極駆動パルスを形成することを特徴とするプラズマディスプレイ装置。
【付記８】
【００２８】  付記７において、上記ＭＰＵが出力するトリガ信号とＤＡＴＡ信号は、上記Ｘ駆動制御回路、上記Ｙ駆動制御回路、上記アドレス駆動制御回路、上記スキャン駆動制御回路へ共通に供給するバス信号であることを特徴とするプラズマディスプレイ装置。
【付記９】
【００２９】  プラズマディスプレイパネルと、プラズマディスプレイパネルのＸ電極を駆動するＹ電極駆動回路を備えたプラズマディスプレイ装置において、  Ｘ電極駆動回路内部にＸ電極駆動回路へ供給する制御信号を発生するＸ駆動制御回路と、  Ｙ電極駆動回路内部にＹ電極駆動回路へ供給する制御信号を発生するＹ駆動制御回路と、  上記Ｘ駆動制御回路、Ｙ駆動制御回路へパルス形成に必要な情報を供給するＭＰＵを設け、  上記Ｘ駆動制御回路、上記Ｙ駆動制御回路は、上記ＭＰＵの出力情報をデータ処理することによって、各々Ｘ電極へ供給するＸ電極駆動パルス、Ｙ電極駆動パルスを形成することを特徴とするプラズマディスプレイ装置。
【付記１０】
【００３０】  付記９において、上記ＭＰＵが出力するパルス形成に必要な情報は、上記Ｘ駆動制御回路、上記Ｙ駆動制御回路へ共通に供給するバス信号であることを特徴とするプラズマディスプレイ装置。
【付記１１】
【００３１】  付記１において、トリガ信号とＤＡＴＡ信号の代わりに、クロック信号とＤＡＴＡ信号を使用し、ＤＡＴＡ信号にはＸ駆動制御回路、Ｙ駆動制御回路、アドレス駆動制御回路等から出力するパルスの位相、パルス幅等の情報を符号化して重畳させていることを特徴とするプラズマディスプレイ装置。
【付記１２】
【００３２】付記１において、ＭＰＵの代わりの同等機能を有する論理回路を用いたことを特徴とするプラズマディスプレイ装置。
【付記１３】
【００３３】  付記２記載のバス信号は、クロック信号と、ＤＡＴＡ信号を用いて構成されたことを特徴とするプラズマディスプレイ装置。
【付記１４】
【００３４】  付記１３において、バス信号は１２Ｃバスを用いて構成されていることを特徴とするプラズマディスプレイ装置。
【付記１５】
【００３５】  付記１において、Ｘ駆動制御回路、Ｙ駆動制御回路は、プラズマディスプレイ装置のサステイン回路における出力素子へ供給するドライブパルスを形成するプリドライブ回路内部に形成されたことを特徴とするプラズマディスプレイ装置。
【付記１６】
【００３６】  付記１５において、上記プリドライブ回路は、上記ＭＰＵ（又は、同等の機能を有する論理回路）から出力されたトリガ信号とＤＡＴＡ信号（又は、クロック信号とＤＡＴＡ信号）から、サステイン回路の出力素子へ供給するドライブパルスの位相、パルス幅等の情報を読取るデータ処理回路と、上記データ処理回路からの出力信号に基づいて、制御信号を発生させる信号発生回路と、上記信号発生回路の出力信号を増幅する増幅回路を用いて構成されていることを特徴とするプラズマディスプレイ装置。
【付記１７】
【００３７】  付記１６において、信号発生回路はカウンタを用いて構成されていることを特徴とするプラズマディスプレイ装置。
【付記１８】
【００３８】  付記１７において、上記カウンタはデータ処理回路から出力されるドライブパルスの位相、パルス幅等の情報に基づいて、カウントアップ、または、カウントダウンを開始、または、停止することを特徴とするプラズマディスプレイ装置。  
【付記１９】
【００３９】  付記３に記載されたＸ駆動制御回路、Ｙ駆動制御回路、アドレス駆動制御回路、スキャン駆動制御回路のいずれかへ入力される上記ＭＰＵ（又は同等の機能を有する論理回路）からの信号の誤りを訂正する誤り訂正機能を有していることを特徴とするプラズマディスプレイ装置。
【付記２０】
【００４０】  付記３に記載されたＸ駆動制御回路、Ｙ駆動制御回路、アドレス駆動制御回路、スキャン駆動制御回路のいずれかへ入力される上記ＭＰＵ（又は同等の機能を有する論理回路）からの信号の一部、又は、全部が欠落した場合、上記Ｘ駆動制御回路、Ｙ駆動制御回路、アドレス駆動制御回路、スキャン駆動制御回路から出力される信号の一部（又は、全部）が、ノンアクティブ状態（出力素子等をオフさせる状態）に設定されることを特徴とするプラズマディスプレイ装置。
【付記２１】
【００４１】  付記３に記載されたＸ駆動制御回路、Ｙ駆動制御回路、アドレス駆動制御回路、スキャン駆動制御回路のいずれかへ入力される上記ＭＰＵ（又は同等の機能を有する論理回路）からの信号の一部が欠落した場合や、ノイズ等が重畳されて正常に読取ることができなかった場合は、上記Ｘ駆動制御回路、Ｙ駆動制御回路、アドレス駆動制御回路、スキャン駆動制御回路から出力される信号の一部（又は、全部）が、ノンアクティブ状態（出力素子等をオフさせる状態）に設定されることを特徴とするプラズマディスプレイ装置。
【図１】
2007015308.tif 000002
【図２】
2007015308.tif 000003
【図３】
2007015308.tif 000004
【図４】
2007015308.tif 000005
【図５】
2007015308.tif 000006
【図６】
2007015308.tif 000007
【手続補正書】
【提出日】平成19年6月26日(2007.6.26)
【手続補正１】
【補正対象書類名】特許請求の範囲
【補正対象項目名】請求項１
【補正方法】変更
【補正の内容】
【請求項１】
プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路を備えたプラズマディスプレイ装置において、
Ｘ電極駆動回路内部にＸ電極駆動回路へ供給する制御信号を発生するＸ駆動制御回路と、
Ｙ電極駆動回路内部にＹ電極駆動回路へ供給する制御信号を発生するＹ駆動制御回路と、
アドレス電極駆動回路内部にアドレス電極駆動回路へ供給する制御信号を発生するアドレス駆動制御回路と、
上記Ｘ駆動制御回路、Ｙ駆動制御回路、アドレス駆動制御回路へトリガ信号とＤＡＴＡ信号を供給するＭＰＵとを設け、
上記Ｘ駆動制御回路、上記Ｙ駆動制御回路、上記アドレス駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、アドレス電極駆動パルスを形成することを特徴とするプラズマディスプレイ装置。
【手続補正２】
【補正対象書類名】明細書
【補正対象項目名】００１５
【補正方法】変更
【補正の内容】
【００１５】
Ｘ駆動制御回路９、Ｙ駆動制御回路１０、アドレス駆動制御回路１１、スキャン駆動制御回路１２では、上記ＭＰＵ８から出力されるトリガ信号とＤＡＴＡ信号に基づいて、Ｘ電極駆動回路３、Ｙ電極駆動回路４、アドレス電極駆動回路５、スキャン回路６へ供給する制御信号を形成している。
図２に示した本発明の第１の実施例を用いることにより、図１に示した従来例に比べ駆動制御回路２の回路規模を小さくすることができる。また、Ｘ電極駆動回路３、Ｙ電極駆動回路４、アドレス電極駆動回路５、スキャン回路６へは、ＭＰＵ８が出力するトリガ信号とＤＡＴＡ信号を供給すれば良いため、従来例（図１）で必要であった制御信号伝送のためのケーブルやコネクタのピン数を減らすことができる。
さらに、上記Ｘ駆動制御回路９、Ｙ駆動制御回路１０、アドレス駆動制御回路１１、スキャン駆動制御回路１２内部に、ＭＰＵ８が出力するトリガ信号とＤＡＴＡ信号の誤り訂正機能を持たせることにより、従来例に比べ誤動作による故障の可能性を減らすことができる。
【手続補正３】
【補正対象書類名】明細書
【補正対象項目名】００２１
【補正方法】変更
【補正の内容】
【００２１】
プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路を備えたプラズマディスプレイ装置において、
Ｘ電極駆動回路内部にＸ電極駆動回路へ供給する制御信号を発生するＸ駆動制御回路と、
Ｙ電極駆動回路内部にＹ電極駆動回路へ供給する制御信号を発生するＹ駆動制御回路と、
アドレス電極駆動回路内部にアドレス電極駆動回路へ供給する制御信号を発生するアドレス駆動制御回路と、
上記Ｘ駆動制御回路、Ｙ駆動制御回路、アドレス駆動制御回路へトリガ信号とＤＡＴＡ信号を供給するＭＰＵとを設け、
上記Ｘ駆動制御回路、上記Ｙ駆動制御回路、上記アドレス駆動制御回路は、上記ＭＰＵが出力するトリガ信号とＤＡＴＡ信号をデータ処理することによって、各々Ｘ電極へ供給するＸ電極駆動パルス、Ｙ電極駆動パルス、アドレス電極駆動パルスを形成することを特徴とするプラズマディスプレイ装置。
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
プラズマディスプレイパネルと、プラズマディスプレイパネルのＸ電極を駆動するＸ電極駆動回路と、プラズマディスプレイパネルのＹ電極を駆動するＹ電極駆動回路と、プラズマディスプレイパネルのアドレス電極を駆動するアドレス電極駆動回路と、Ｙ電極へスキャンパルスを供給するスキャン回路を備えたプラズマディスプレイ装置において、
上記Ｘ電極駆動回路は、上記Ｘ電極を駆動するための制御信号を発生するＸ駆動制御回路を、
上記Ｙ電極駆動回路は、上記Ｙ電極を駆動するための制御信号を発生するＹ駆動制御回路を、
上記アドレス電極駆動回路は、上記アドレス電極を駆動するための制御信号を発生するアドレス駆動制御回路を、
上記スキャン回路は、上記スキャンパルスを形成する制御信号を発生するスキャン駆動制御回路とを各々備えており、
上記Ｘ駆動制御回路、上記Ｙ駆動制御回路、上記アドレス駆動制御回路、上記スキャン駆動制御回路へトリガ信号とＤＡＴＡ信号を供給するＭＰＵとを設け、
上記Ｘ駆動制御回路、上記Ｙ駆動制御回路、上記アドレス駆動制御回路、上記スキャン駆動制御回路は、上記ＭＰＵが出力するトリガ信号とＤＡＴＡ信号に基づいて、各々上記Ｘ電極を駆動するＸ電極駆動パルス、上記Ｙ電極を駆動するＹ電極駆動パルス、上記アドレス電極を駆動するアドレス電極駆動パルス、上記スキャンパルスを形成すると共に、
上記Ｘ駆動制御回路、上記Ｙ駆動制御回路、上記アドレス駆動制御回路、上記スキャン駆動制御回路の何れかに入力される上記ＭＰＵからの出力信号は、上記トリガ信号と上記ＤＡＴＡ信号の誤りを訂正する誤り訂正信号を有していることを特徴とするプラズマディスプレイ装置。
【請求項２】
請求項１において、
上記ＭＰＵからの出力信号の少なくとも一部が欠落した場合に、上記Ｘ駆動制御回路、上記Ｙ駆動制御回路、上記アドレス駆動制御回路、上記スキャン駆動制御回路の出力素子をオフさせるように設定することを特徴とするプラズマディスプレイ装置。
【国際調査報告】
2007015308.tif 000008
2007015308.tif 000009
2007015308.tif 000010
2007015308.tif 000011